(57)【要約】【課題】  高いシール性能を備え、新型インフルエンザ等の伝染病に対応可能な遺体収納袋を提供する。【解決手段】  ファスナー閉鎖時に前記スライダー（５１）が前記エレメント列（５２）の終端（５２ｂ）へ向かうための通行路（２４ｃ）のみを残して、前記平坦面（５３ｂ）が前記開口部（４１）の周縁部と接着されるファスナー（５）と、前記袋体（４）にヒンジ固定されるとともに、剥離紙（７１）で保護される接着面（７ａ）を裏面に形成されるフラップ体（７）を備えてなり、該フラップ体（７）は、前記ヒンジ固定位置を中心に回動させられるとともに、前記接着面（７ａ）が前記袋体（４）に接着されることにより、前記通行路（２４ｃ）が覆われ、前記通行路（２４ｃ）による袋体内外の通気が遮断されることを特徴とする。【選択図】図１
2011087804.tif 000002
【特許請求の範囲】
【請求項１】
合成樹脂で被覆されるシール布からなる上部シート体（２）及び下部シート体（３）を重ね合わせて、これらを接着することにより形成され、前記上部シート体（２）に遺体を収納するためのスリット状の開口部（４１）が設けられる袋体（４）と、
前記開口部（４１）の長手方向の寸法よりも長く形成されてスライダー（５１）で噛み合わされる一対のコイル状のエレメント列（５２）を、一対のファスナーテープ（５３）に対して縫着するとともにその縫着面（５３ａ）と反対側の平坦面（５３ｂ）に合成樹脂を被覆してなり、前記平坦面（５３ｂ）で前記開口部（４１）を前記袋体（４）の内側から閉鎖するとともに、ファスナー閉鎖時に前記スライダー（５１）が前記エレメント列（５２）の終端（５２ｂ）へ向かうための通行路（２４ｃ）のみを残して、前記平坦面（５３ｂ）が前記開口部（４１）の周縁部と接着されるファスナー（５）と、
前記袋体（４）にヒンジ固定されるとともに、剥離紙（７１）で保護される接着面（７ａ）を裏面に形成されるフラップ体（７）を備えてなり、
該フラップ体（７）は、前記ヒンジ固定位置を中心に回動させられるとともに、前記接着面（７ａ）が前記袋体（４）に接着されることにより、前記通行路（２４ｃ）が覆われ、前記通行路（２４ｃ）による袋体内外の通気が遮断されることを特徴とする遺体収納袋。
【請求項２】
請求項１記載の遺体収納袋において、
前記スライダー（５１）は、前記通行路（２４ｃ）の内部に収容され、
前記接着面（７ａ）が前記袋体（４）に接着されることにより、前記通行路（２４ｃ）の開口を閉鎖することを特徴とする遺体収納袋。
【請求項３】
請求項２記載の遺体収納袋において、
前記フラップ体（７）は、前記スライダー（５１）を上方から覆うことを特徴とする遺体収納袋。
【発明の詳細な説明】
【技術分野】
【０００１】
本発明は、遺体を収納するための遺体収納袋に関する。
【背景技術】
【０００２】
従来、布シートを縫合して袋を形成し、開口部をファスナーで閉鎖可能とした遺体収納袋が、災害時などにおける遺体収容に使用されている（例えば、特許文献１参照。）。しかしながら、伝染病による遺体を収納する場合、シート地、シートの縫い目、ファスナーのエレメント列の噛み合わせ部、ファスナーテープ地、更にはファスナー閉鎖時にスライダーが寄せられるファスナー終端に生じる隙間などから、病原性ウィルス等が漏れ出して周囲に拡散するリスクがある。
【先行技術文献】
【特許文献】
【０００３】
【特許文献１】実用新案登録第３１２０８５４号公報
【発明の概要】
【発明が解決しようとする課題】
【０００４】
本発明は、斯かる実情に鑑み、高いシール性能を備え、新型インフルエンザ等の伝染病に対応可能な遺体収納袋を提供する。
【課題を解決するための手段】
【０００５】
本発明の請求項１は、
合成樹脂で被覆されるシール布からなる上部シート体（２）及び下部シート体（３）を重ね合わせて、これらを接着することにより形成され、前記上部シート体（２）に遺体を収納するためのスリット状の開口部（４１）が設けられる袋体（４）と、
前記開口部（４１）の長手方向の寸法よりも長く形成されてスライダー（５１）で噛み合わされる一対のコイル状のエレメント列（５２）を、一対のファスナーテープ（５３）に対して縫着するとともにその縫着面（５３ａ）と反対側の平坦面（５３ｂ）に合成樹脂を被覆してなり、前記平坦面（５３ｂ）で前記開口部（４１）を前記袋体（４）の内側から閉鎖するとともに、ファスナー閉鎖時に前記スライダー（５１）が前記エレメント列（５２）の終端（５２ｂ）へ向かうための通行路（２４ｃ）のみを残して、前記平坦面（５３ｂ）が前記開口部（４１）の周縁部と接着されるファスナー（５）と、
前記袋体（４）にヒンジ固定されるとともに、剥離紙（７１）で保護される接着面（７ａ）を裏面に形成されるフラップ体（７）を備えてなり、
該フラップ体（７）は、前記ヒンジ固定位置を中心に回動させられるとともに、前記接着面（７ａ）が前記袋体（４）に接着されることにより、前記通行路（２４ｃ）が覆われ、前記通行路（２４ｃ）による袋体内外の通気が遮断されることを特徴とする。
【０００６】
本発明の請求項２は、
請求項１記載の遺体収納袋において、
前記スライダー（５１）は、前記通行路（２４ｃ）の内部に収容され、
前記接着面（７ａ）が前記袋体（４）に接着されることにより、前記通行路（２４ｃ）の開口を閉鎖することを特徴とする。
【０００７】
本発明の請求項３は、
請求項２記載の遺体収納袋において、
前記フラップ体（７）は、前記スライダー（５１）を上方から覆うことを特徴とする。
【発明の効果】
【０００８】
本発明の請求項１記載の遺体収納袋によれば、以下の優れた効果を発揮することができる。まず、シール布からなる上部シート体（２）及び下部シート体（３）を重ね合わせて、それらの全周を接着することにより袋体（４）を形成するので、シート地やシート合わせ目のシール性が確保される。しかも遺体搬送時の負荷が基材となる布で支持され、プラスチックフィルム等と比べて亀裂等を生じ難い。また、コイル状のエレメント列（５２）をファスナーテープ（５３）に縫着し、縫着面（５３ａ）と反対側の平坦面（５３ｂ）を合成樹脂で被覆したファスナー（５）を採用することにより、エレメント列の噛み合わせ部分やファスナーテープ地のシール性が確保される。なお、エレメント列（５２）を噛み合わせるスライドファスナーであるから、二本の合成樹脂レールを弾性嵌合するレールファスナのような経年劣化（硬化）によるシール性低下の心配が少なく、発生や流行を予測しにくい伝染病対策として備蓄するのに適している。更にファスナー（５）の平坦面（５３ｂ）が、エレメント列（５２）の終端（５２ｂ）に向かうスライダー（５１）の通行路（２４ｃ）のみを残して接着されており、またフラップ体（７）が接着されることにより、前記通行路（２４ｃ）が覆われて袋内外の通気が遮断されるので、遺体から出る病原性ウィルス等が外部に漏れ出すことが完全に防止される。特に、フラップ体（７）は、スライダー（５１）を覆うように接着されることになるため、開口部（４１）を誤って開放させる事故が確実に防止される。しかもフラップ体（７）は、ヒンジ固定されていることによって、接着位置の確認に手間取ったり、位置ずれを生じたりすることがなく、迅速かつ確実に接着作業することができる。特に伝染病等による遺体を収納する場合には、作業者が手袋を装着しているために細かな作業をしにくいが、剥離紙を剥がして押さえ込むだけで済むため、作業性が良い。
【０００９】
本発明の請求項２記載の遺体収納袋によれば、請求項１記載の遺体収納袋が奏する効果に加えて、以下の優れた効果を発揮することができる。スライダー（５１）が通行路（２４ｃ）に収容され、接着面（７ａ）は前記通行路（２４ｃ）の開口を閉鎖するので、フラップ体（７）の接着作業において通行路（２４ｃ）さえ閉鎖すればよく、フラップ体（７）の全体において皺が発生しないように気を遣う必要が無く、その点において作業効率が向上する。
【００１０】
本発明の請求項３記載の遺体収納袋によれば、請求項２記載の遺体収納袋が奏する効果に加えて、以下の優れた効果を発揮することができる。フラップ体（７）は、前記スライダー（５１）全体を上方から覆うので、前記スライダー（５１）は、通行路（２４ｃ）に収納されたときに、上部シート体（２）とフラップ体（７）によって二重に覆われることになり、スライダー（５１）のエッジ等が擦れることによって、万一、上部シート体（２）が傷付くようなことがあっても、直ちにシール漏れすることはなく安全性が確保される。
【図面の簡単な説明】
【００１１】
【図１】本実施形態に係る遺体収納袋の全体を示す平面図。
【図２】遺体収納袋の上面を形成する上部シート体を示す（ａ）斜視図、及び（ｂ）分解斜視図。
【図３】遺体収納袋において（ａ）ファスナー開放時にスライダーが寄せられるエレメント列の始端付近、（ｂ）ファスナー閉鎖時にスライダーが寄せられる開口部の終端付近、及び（ｃ）横幅方向の端部を示す斜視図。
【図４】ファスナーの（ａ）断面図、及び（ｂ）斜視図。
【図５】閉鎖した開口部の終端に生じる隙間について説明する図。
【図６】開口部を閉鎖する際の作業手順を示す斜視図。
【発明を実施するための形態】
【００１２】
以下、本発明の実施形態について図面を参照しながら説明する。
【００１３】
（遺体収納袋１）
図１に示される遺体収納袋１は、共に矩形状の上部シート体２と下部シート体３を重ね合わせて、その前後左右の四方を全周に亘って溶着することにより形成され、その上面側の上部シート体２に遺体を収納するためのスリット状の開口部４１が長手方向（図１中の左右方向）に延びるように設けられる細長形状の袋体４と、袋体４（上部シート体２）に対して開口部４１を閉鎖するように溶着されるファスナー５と、を備えてなる。なお、袋体４の横幅方向（図１中の上下方向）の両側端には、補強支持部４２が形成されており、これに平たい紐状体の両端を縫合してなる把手部６が長手方向に間隔をおいて複数個（各側端に４個ずつ両側端合わせて計８個）設けられている。
【００１４】
（上部シート体２）
上部シート体２は、不織布に合成樹脂を被覆してなるシール布で形成される矩形状のシート体で、図２（ａ）に示されるように、その横幅方向（短手方向）の中央を長手方向に延びるスリット状の開口部４１（窓穴）が形成されている。上部シート体２は、図２（ｂ）に示されるように、矩形状の分割シート片２１，２２と、矩形状の補助シート片２３，２４と、を結合することにより構成される。分割シート片２１，２２は、上部シート体２の長手方向に延びる両側部２ａ,２ｂ、横幅方向に延びる両側部２ｃ,２ｄ、及び開口部４１の長手方向に延びる両側辺４１ａ，４１ｂを規定する。補助シート片２３，２４は、分割シート片２１，２２の長手方向の両端同士を連結するように溶着されて、上部シート体２の横幅方向に延びる両側部２ｃ,２ｄの一部、及び開口部４１の横幅方向に延びる両側辺４１ｃ，４１ｄを規定する。補助シート片２３，２４は、図３（ａ）及び（ｂ）に示されるように、それぞれ分割シート片２１，２２に跨るように取り付けられており、分割シート片２１，２２と重なり合う部分が、長手方向に延びる帯状の溶着線２３ａ，２３ｂ及び２４ａ，２４ｂで溶着される。なお、補助シート片２３，２４は、上部シート体２と下部シート体３が溶着される際に、後述する溶着線４ｃ，４ｄによって分割シート片２１，２２及び下部シート体３に対して溶着されている。上部シート体２には、上部シート体２と下部シート体３が結合される前に、開口部４１を内側から閉鎖するファスナー５が溶着されている。なお、補助シート片２３は、別の帯状の溶着線２３ｃで上部シート体２に溶着されることによって周囲が完全にシールされている。上部シート体２は、把手部６を取り付けるための補強支持部４２を形成するため、横幅が袋体４よりも大きく設定されている。
【００１５】
（下部シート体３）
下部シート体３は、織布に合成樹脂シートを積層、すなわち被覆してなるシール布、いわゆるターポリンで形成される矩形状のシート体であり、上部シート体２と同じ長さ及び横幅に形成されている。
【００１６】
（袋体４）
袋体４は、上述のとおり、上部シート体２と下部シート体３を重ね合わせて、前後左右の四方に形成される帯状の溶着線４ａ，４ｂ，４ｃ，４ｄ（図１）で全周に亘って溶着したものである。この際、上部シート体２の上面には、補助シート片２４よりも長さと横幅が大きい矩形状のシート体が、補助シート片２４の上面側を覆うように、かつ一端が上部シート体２の外側部２ｄと揃えられた状態でセットされており、溶着線４ｄで同時に溶着されることにより、袋体４に対してヒンジ固定されるフラップ体７（後述する）を形成する。なお、長手方向に延びる溶着線４ａ，４ｂの横幅方向の両外側は、横幅方向の内側へ巻き込むように複数回折り返して、図３（ｃ）で示されるように押さえ縫いすることにより、上述した補強支持部４２が形成される。
【００１７】
（ファスナー５）
ファスナー５は、開口部４１の長手方向の寸法よりも長く形成されてスライダー５１で噛み合わされる左右一対のコイル状のエレメント列５２を、左右一対のコファスナーテープ５３の一面５３ａに縫着するとともに、その縫着面５３ａとは反対側の平坦面５３ｂに合成樹脂を被覆したコーティング層５４を形成してなる。ファスナー５は、コーティング層５４で被覆された平坦面５３ｂが、ファスナー閉鎖時にスライダー５１がエレメント列５２の終端５２ｂへ向かうための通行路２４ｃのみを残して、開口部４１の内側面（上部シート体２の内側面）と重なり合う部分において溶着されており、これにより、平坦面５３ｂと開口部４１の外側面（上部シート体２の外側面）が略面一となるように連続する。スライダー５１は、終端５２ｂまでスライドされることにより、通行路２４ｃの内部に収容され、補助シート片２４（上部シート体２）によって上部から完全に覆われる状態となる。ファスナー５は、補助シート片２３，２４によって覆われている部分で途切れており、分割シート片２１，２２との間に、隙間Ｇ１，Ｇ２があり、隙間Ｇ２は、補助シート片２３によって完全にシールされているが、隙間Ｇ１は、補助シート片２３に形成される通行路２４ｃによって開放されたままとなっている。
【００１８】
（フラップ体７）
フラップ体７は、上述したとおり、袋体４に一端をヒンジ固定されるシート体であり、
補助シート片２４よりも大きく、すなわちヒンジ固定位置を中心に回動させて袋体４に沿わせることにより、通行路２４ｃの開口を閉鎖することができるように設けられている。フラップ体７の裏面には、その全体に、剥離紙７１で保護される接着面７ａが形成されており、剥離紙７１を剥離して接着面７ａを袋体４に密着させることにより、図５に示されるように、終端５２ｂに生じるスライダー５１では閉じ切れない隙間５２ｃ、及びファスナー５の途切れることで生じる隙間Ｇ２による通気を遮断することができる。なお、フラップ体７は、補助シート片２４より大きく形成されているので、補助シート片２４とともにスライダー５１を上方から完全に覆うことができる。
【００１９】
（開口部４１を閉鎖する際の作業手順）
開口部４１を閉鎖する場合には、まず、図６（ａ）に示されるように、スライダー５１をスライドさせてファスナー５によって開口部４１を閉鎖させ、図６（ｂ）に示されるように、更にスライダー５１をスライドさせて、補助シート片２４でスライダー５１を上方から完全に覆わせる。次に、図６（ｃ）に示されるように、フラップ体７の裏面の剥離紙７１を剥離し、接着面７ａを露出させて、ヒンジ固定部を中心に回動させることにより、図６（ｄ）に示されるように、フラップ体７でスライダー５１及び補助シート片２４で完全に覆う。
【００２０】
（上記実施形態に係る遺体収納袋１の特徴）
上記実施形態に係る遺体収納袋１は、以下のような特徴を有する。第一に、シール布からなる上部シート体２及び下部シート体３を重ね合わせて、それらの全周を接着することにより袋体４を形成するので、シート地やシート合わせ目のシール性が確保される。しかも遺体搬送時の負荷が基材となる布で支持され、プラスチックフィルム等と比べて亀裂等を生じ難い。
【００２１】
第二に、コイル状のエレメント列５２をファスナーテープ５３に縫着し、縫着面５３ａと反対側の平坦面５３ｂを合成樹脂で被覆したファスナー５を採用することにより、噛み合わせ部分やファスナーテープ地のシール性が確保される。なお、二本の合成樹脂レールを弾性嵌合するレールファスナのように、経年劣化（硬化）によるシール性低下の心配が少なく、発生や流行を予測しにくい伝染病対策として備蓄するのに適している。
【００２２】
第三に、ファスナー５の平坦面５３ｂが、エレメント列５２の終端５２ｂに向かうスライダー５１の通行路２４ｃのみを残して接着されており、またフラップ体７が接着されることにより、前記通行路２４ｃが覆われて袋内外の通気が遮断されるので、遺体から出る病原性ウィルス等が外部に漏れ出すことが完全に防止される。特に、フラップ体７は、スライダー５１を覆うように接着されることになるため、開口部４１を誤って開放させる事故が確実に防止される。しかもフラップ体７は、ヒンジ固定されていることによって、接着位置の確認に手間取ったり、位置ずれを生じたりすることがなく、迅速かつ確実に接着作業することができる。特に伝染病等による遺体を収納する場合には、作業者が手袋を装着しているために細かな作業をしにくいが、剥離紙を剥がして押さえ込むだけで済むため、作業性が良い。
【００２３】
第四に、スライダー５１は、通行路２４ｃの内部に収容され、接着面７ａが袋体４に接着されることにより、通行路２４ｃの開口を閉鎖するようにしたので、フラップ体７の接着作業においてポケット体２４の収容口２４ｃさえ閉鎖できれば、シール性が確保されるので、フラップ体７の全体において皺が発生しないように気を遣う必要が無く、その点においても作業効率が向上する。
【００２４】
第五に、前記フラップ体７は、スライダー５１全体を上方から覆うという特徴を有するので、スライダー５１は、通行路２４ｃに収納されたときに、フラップ体７と上部シート体２（補助シート片２４）で二重に覆われることになり、ファスナー表面から突出しているスライダー５１の持手５１ａのエッジ等が擦れることによる傷つきで直ちにシール漏れするようなことがなく安全性が確保される。
【００２５】
（上記実施形態の変形例）
上記実施形態に係る遺体収納袋１は、上部シート体２を複数枚のシート片を溶着することにより形成したが、これに限らず、一枚物のシート片に開口部となる窓穴を形成するようにしても良い。また、上記実施形態に係る遺体収納袋１は、シート体あるいはシート片を短時間で確実に接着するために溶着を採用したが、接着剤を用いて接着することとしても良い。なお、溶着方法としては、熱溶着、超音波溶着、高周波溶着等、様々な溶着方法を採用することができる。その他、本発明の遺体収納袋は、上記実施形態に限定されることなく、本発明の要旨を逸脱しない範囲において種々変更を加え得ることは勿論である。
【符号の説明】
【００２６】
１  遺体収納袋
２  上部シート体
３  下部シート体
４  袋体
４１開口部
５  ファスナー
５１スライダー
７  フラップ体
【図１】
2011087804.tif 000003
【図２】
2011087804.tif 000004
【図３】
2011087804.tif 000005
【図４】
2011087804.tif 000006
【図５】
2011087804.tif 000007
【図６】
2011087804.tif 000008